(57)【特許請求の範囲】
【請求項１】
コンピュータを、
画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な設定用紙を前記画像形成装置に出力させる出力手段と、
当該設定用紙に記入された内容を前記画像形成装置においてスキャンして得られる内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段として機能させるためのプログラムであって、
前記出力手段は、前記設定用紙を出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、コンテンツ管理プログラム。
【請求項２】
コンピュータを、
画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な画面を前記画像形成装置の表示部に表示出力させる出力手段と、
当該画面に従って入力された内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段として機能させるためのプログラムであって、
前記出力手段は、前記画面を表示出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、コンテンツ管理プログラム。
【請求項３】
前記設定受付手段は、前記文書情報及び当該文書情報の配信設定情報を受け付けた後に、前記配信設定情報の内容が記載された設定用紙を前記画像形成装置に読み込ませることで、前記配信設定情報の再設定、更新又は前記文書情報の削除を受け付け、
前記配信手段は、前記設定受付手段が前記配信設定情報の再設定又は更新を受け付けた場合、前記文書情報及び再設定又は更新された前記配信設定情報を、当該文書情報を表示処理するための前記サイネージコントローラに配信する、請求項１又は２に記載のコンテンツ管理プログラム。
【請求項４】
前記設定受付手段が前記配信設定情報の設定、再設定又は更新を受け付けた後、前記画像形成装置において課金処理を行う課金手段としてさらに機能させ、
前記配信手段は、前記課金処理が完了した後に前記文書情報及び設定、再設定又は更新された前記配信設定情報を前記サイネージコントローラに配信する、請求項３に記載のコンテンツ管理プログラム。
【請求項５】
画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な設定用紙を前記画像形成装置に出力させる出力手段と、
当該設定用紙に記入された内容を前記画像形成装置においてスキャンして得られる内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段とを有し、
前記出力手段は、前記設定用紙を出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、情報処理装置。
【請求項６】
画像形成装置において原稿をスキャンして得られる文書情報を前記画像形成装置から受け付ける文書受付手段と、
当該文書情報の配信条件を設定するための表示時間帯、表示期間及び表示曜日が選択可能な画面を前記画像形成装置の表示部に表示出力させる出力手段と、
当該画面に従って入力された内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段とを有し、
前記出力手段は、前記画面を表示出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、情報処理装置。
【発明の詳細な説明】
【技術分野】
【０００１】
本発明は、コンテンツ管理プログラム及び情報処理装置に関する。
【背景技術】
【０００２】
従来の技術として、ＦＡＸで受け付けた手書きの原稿及び配信日時をテキスト認識し、予め登録された会員にメール配信する情報処理装置が提案されている（例えば、特許文献１参照）。
【０００３】
特許文献１に開示された情報処理装置は、利用者が手書きで作成した原稿及び当該原稿に予め定められたフォーマットで記入された配信日時等をＦＡＸで受け付け、その後原稿の内容及び配信日時等をＯＣＲ（Ｏｐｔｉｃａｌ  Ｃｈａｒａｃｔｅｒ  Ｒｅｃｏｇｎｉｔｉｏｎ）により認識してテキスト化し、テキスト化された原稿の内容及び配信日時を利用者にＦＡＸで送信して確認させ、確認結果をＦＡＸで受け付けて確認結果に問題がなければ予め登録された会員にメール配信する。
【先行技術文献】
【特許文献】
【０００４】
【特許文献１】特開２００４−２２０３１３号公報
【発明の概要】
【発明が解決しようとする課題】
【０００５】
本発明の目的は、コンテンツの配信設定の手順増加を抑制するコンテンツ管理プログラム及び情報処理装置を提供することにある。
【課題を解決するための手段】
【０００６】
本発明の一態様は、上記目的を達成するため、以下のコンテンツ管理プログラム及び情報処理装置を提供する。
【０００７】
［１］コンピュータを、
画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な設定用紙を前記画像形成装置に出力させる出力手段と、
当該設定用紙に記入された内容を前記画像形成装置においてスキャンして得られる内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段として機能させるためのプログラムであって、
前記出力手段は、前記設定用紙を出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、コンテンツ管理プログラム。
［２］コンピュータを、
画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な画面を前記画像形成装置の表示部に表示出力させる出力手段と、
当該画面に従って入力された内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段として機能させるためのプログラムであって、
前記出力手段は、前記画面を表示出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、コンテンツ管理プログラム。
［３］前記設定受付手段は、前記文書情報及び当該文書情報の配信設定情報を受け付けた後に、前記配信設定情報の内容が記載された設定用紙を前記画像形成装置に読み込ませることで、前記配信設定情報の再設定、更新又は前記文書情報の削除を受け付け、
前記配信手段は、前記設定受付手段が前記配信設定情報の再設定又は更新を受け付けた場合、前記文書情報及び再設定又は更新された前記配信設定情報を、当該文書情報を表示処理するための前記サイネージコントローラに配信する、前記［１］又は［２］に記載のコンテンツ管理プログラム。
［４］前記設定受付手段が前記配信設定情報の設定、再設定又は更新を受け付けた後、前記画像形成装置において課金処理を行う課金手段としてさらに機能させ、
前記配信手段は、前記課金処理が完了した後に前記文書情報及び設定、再設定又は更新された前記配信設定情報を前記サイネージコントローラに配信する、前記［３］に記載のコンテンツ管理プログラム。
［５］画像形成装置において原稿をスキャンして得られる文書情報を前記画像形成装置から受け付ける文書受付手段と、
当該文書情報の配信条件を設定するための表示時間帯、表示期間及び表示曜日がそれぞれ複数選択可能な設定用紙を前記画像形成装置に出力させる出力手段と、
当該設定用紙に記入された内容を前記画像形成装置においてスキャンして得られる内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段とを有し、
前記出力手段は、前記設定用紙を出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、情報処理装置。
［６］画像形成装置において原稿をスキャンして得られる文書情報を前記画像形成装置から受け付ける文書受付手段と、
当該文書情報の配信条件を設定するための表示時間帯、表示期間及び表示曜日が選択可能な画面を前記画像形成装置の表示部に表示出力させる出力手段と、
当該画面に従って入力された内容を前記配信設定情報として受け付ける設定受付手段と、
前記設定受付手段が前記配信設定情報の設定を受け付けた場合、前記文書情報及び設定された前記配信設定情報を、当該文書情報を表示処理するためのサイネージコントローラに配信する配信手段とを有し、
前記出力手段は、前記画面を表示出力させる際に、前記文書情報の表示スケジュールを前記サイネ−ジコントローラに問い合わせ、複数の前記表示時間帯のうち設定できない表示時間帯があった旨の応答を受け付けた場合、当該表示時間帯に対して設定が不可能であることを示すようにする、情報処理装置。
【発明の効果】
【０００８】
請求項１、２、３、５又は６に係る発明によれば、文書情報の登録の際にコンテンツの配信設定の手順増加を抑制することができる。
請求項４に係る発明によれば、コンテンツ配信に際して課金処理することができる。
【図面の簡単な説明】
【０００９】
【図１】図１は、第１の実施の形態に係るコンテンツ管理システムの構成の一例を示す概略図である。
【図２】図２は、第１の実施の形態に係るコンテンツ管理サーバの構成例を示すブロック図である。
【図３】図３は、コンテンツ管理情報の構成例を示す概略図である。
【図４】図４（ａ）−（ｃ）は、コンテンツ管理システムの動作例を説明するための図である。
【図５】図５は、設定用紙の構成例を示す概略図である。
【図６】図６は、設定用紙の他の構成例を示す概略図である。
【図７】図７は、コンテンツ管理サーバの投稿時の動作例を示すフローチャートである。
【図８】図８は、コンテンツ管理サーバの再投稿時の動作例を示すフローチャートである。
【図９】図９（ａ）−（ｄ）は、第２の実施の形態のコンテンツ管理システムの動作例を説明するための図である。
【図１０】図１０は、設定用紙の構成例を示す概略図である。
【図１１】図１１（ａ）−（ｄ）は、第２の実施の形態のコンテンツ管理システムの動作例を説明するための図である。
【発明を実施するための形態】
【００１０】
［第１の実施の形態］
（コンテンツ管理システムの構成）
図１は、第１の実施の形態に係るコンテンツ管理システムの構成の一例を示す概略図である。
【００１１】
このコンテンツ管理システムは、コンテンツ管理サーバ１と、画像形成装置２と、サイネージコントローラ３とをネットワーク５によって互いに通信可能に接続することで構成される。画像形成装置２は、利用者６によって操作される。
【００１２】
コンテンツ管理サーバ１は、サーバ型の情報処理装置であり、画像形成装置２の要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）や情報を格納するためのハードディスク等の電子部品を備える。また、コンテンツ管理サーバ１は、サイネージコントローラ３を制御する。
【００１３】
画像形成装置２は、少なくともスキャン機能、印刷機能及び外部通信機能を有しており、本体内に上記機能を実現するための機能部及びＣＰＵやＤＲＡＭ（Ｄｙｎａｍｉｃ  Ｒａｎｄｏｍ  Ａｃｃｅｓｓ  Ｍｅｍｏｒｙ）等の電子部品を備える。
【００１４】
サイネージコントローラ３は、画像や文字を表示するよう表示装置４を制御するとともに、表示に必要な情報をコンテンツ管理サーバ１と通信して受信するものであって、ＣＰＵやＤＲＡＭ等の電子部品を備える。
【００１５】
ネットワーク５は、通信ネットワークであり、例えば、インターネット、イントラネットやＬＡＮ（Ｌｏｃａｌ  Ａｒｅａ  Ｎｅｔｗｏｒｋ）等の有線又は無線の通信網である。
【００１６】
上記構成において、利用者６が画像形成装置２において原稿７をスキャン操作すると、原稿７をスキャンして生成された文書情報がコンテンツ管理サーバ１に送信され、格納される。また、利用者６は後述する設定用紙において文書情報の配信時間等を記入し、画像形成装置２において設定用紙をスキャン操作すると、スキャンして生成された配信設定情報がコンテンツ管理サーバ１に送信され、格納される。コンテンツ管理サーバ１は、文書情報及び配信設定情報をサイネージコントローラ３に配信し、サイネージコントローラ３は配信設定情報に基づいて文書情報を表示装置４に表示処理する。なお、コンテンツ管理サーバ１の機能の一部又は全部を画像形成装置２又はサイネージコントローラ３に含めて構成してもよい。
【００１７】
（コンテンツ管理サーバの構成）
図２は、第１の実施の形態に係るコンテンツ管理サーバ１の構成例を示すブロック図である。
【００１８】
コンテンツ管理サーバ１は、ＣＰＵ等から構成され、各部を制御するとともに、各種のプログラムを実行する制御部１０と、ハードディスク等の記憶媒体から構成され情報を記憶する記憶部１１と、ネットワークを介して外部と通信する通信部１２とを備える。
【００１９】
制御部１０は、後述するコンテンツ管理プログラム１１０を実行することで、文書受付手段１００、設定用紙出力手段１０１、設定受付手段１０２、課金手段１０３及びコンテンツ配信手段１０４等として機能する。
【００２０】
文書受付手段１００は、画像形成装置２において原稿７をスキャンして得られた文書情報を画像形成装置２から受け付けて記憶部１１に文書情報１１１として格納する。
【００２１】
設定用紙出力手段１０１は、文書受付手段１００が文書情報１１１を受け付けると、当該文書情報１１１の配信条件を設定するための設定用紙を画像形成装置２に出力させる。
【００２２】
設定受付手段１０２は、設定用紙を画像形成装置２においてスキャンして得られた配信設定情報を受け付けて配信設定情報１１３として記憶部１１に格納する。なお、設定用紙をスキャンして得られた画像情報からどのような設定が指示されているかを認識して配信設定情報に変換する手段を含んでもよいし、画像形成装置２において変換する構成としてもよい。
【００２３】
課金手段１０３は、設定受付手段１０２が配信設定情報１１３を格納した後、画像形成装置２において課金処理を行う。
【００２４】
コンテンツ配信手段１０４は、課金手段１０３において課金処理が完了すると、文書情報１１１及び配信設定情報１１３をサイネージコントローラ３に配信する。
【００２５】
記憶部１１は、制御部１０を上述した各手段１００−１０４として動作させるコンテンツ管理プログラム１１０、文書情報１１１、コンテンツ管理情報１１２及び配信設定情報１１３等を記憶する。
【００２６】
図３は、コンテンツ管理情報１１２の構成例を示す概略図である。
【００２７】
コンテンツ管理情報１１２は、文書情報１１１を識別するための文書ＩＤと、文書情報のファイル名と、配信設定情報のファイル名とを関連付けて記憶する。
【００２８】
（コンテンツ管理システムの動作）
次に、第１の実施の形態の作用を、（１）文書情報登録動作、（２）配信設定情報登録動作、（３）課金動作、（４）配信動作、（５）再登録動作に分けて説明する。
【００２９】
（１）文書情報登録動作
図４（ａ）−（ｄ）は、コンテンツ管理システムの動作例を説明するための図である。また、図７は、コンテンツ管理サーバ１の投稿時の動作例を示すフローチャートである。
【００３０】
まず、図４（ａ）に示すように、利用者６は、画像形成装置２において原稿７をスキャン操作する。
【００３１】
画像形成装置２は、原稿７をスキャンして文書情報を生成し、コンテンツ管理サーバ１に送信する。
【００３２】
コンテンツ管理サーバ１の文書受付手段１００は、画像形成装置２から文書情報を受け付けて記憶部１１に文書情報１１１として格納する（Ｓ１）。
【００３３】
このとき文書受付手段１００は、図３に示すコンテンツ管理情報１１２に新たな文書ＩＤを入力して文書情報と関連付ける（Ｓ２）。例えば、文書情報名が「ｇｈｉ．ｊｐｇ」の文書情報に「００３」の文書ＩＤを入力する。なお、この時点では配信設定情報が関連付けられていないためブランクである。
【００３４】
（２）配信設定情報登録動作
次に、設定用紙出力手段１０１は、サイネージコントローラ３に表示スケジュールを問い合わせて確認する（Ｓ３）。一例として、「０３：００〜０６：００」の時間帯が「営業時間外」、「１２：００〜１５：００」の時間帯が「他の投稿文書表示で一杯」、その他の時間帯に空きがある旨の応答を受け付けたとする。なお、ここで「投稿」とは、利用者６が表示装置４に原稿７の内容を表示するために行う手順の全部又は一部を示すものとする。なお、設定用紙出力手段１０１は、コンテンツ管理サーバ１の記憶部１１に格納された、他の文書のコンテンツ管理情報１１２および配信設定情報１１３より確認を行ってもよい。また、表示スケジュールをコンテンツ管理サーバ１で管理する構成としてもよい。
【００３５】
次に、設定用紙出力手段１０１は、図４（ｂ）に示すように、上記の応答を反映した、文書情報１１１の配信条件を設定するための設定用紙８を画像形成装置２に出力させる（Ｓ４）。設定用紙８は、一例として、以下の図５に示すように構成される。
【００３６】
図５は、設定用紙８の構成例を示す概略図である。また、図６は、設定用紙８の他の構成例を示す概略図である。
【００３７】
設定用紙８ａは、設定用紙８の一例であり、「０３：００〜０６：００」の時間帯のように「営業時間外」で設定できない場合や、「１２：００〜１５：００」の時間帯のように「他の投稿文書表示で一杯」で設定できない場合等に時間帯をグレー表示にし、チェックボックスを設けないことで設定が不可能であることを示す。また、「表示時間帯」、「表示期間」、「表示曜日」等の設定項目の選択肢をチェックボックスとともに表示する。また、「チェックシート再入力」については、「（５）再登録動作」において使用する項目であり、後述する。また、「削除」は、スキャンした原稿７に対応する文書情報１１１を削除するためのものである。
【００３８】
なお、設定用紙８ａの裏面には投稿した原稿７のコピーが印刷され、設定用紙８ａがいずれの原稿に対応するものかを利用者６が事後的に確認できるようにしてもよい。また、以下の図６に示す設定用紙８ｂのように、投稿した原稿７と設定用の項目を同一面に印刷してもよい。
【００３９】
次に、図４（ｃ）に示すように、利用者６は設定用紙８において文書情報１１１の配信時間等を記入し、画像形成装置２において設定用紙８をスキャン操作する。例えば、「表示時間帯」の「０６：００〜０９：００」及び「１５：００〜１８：００」にチェックし、「表示期間」の「１週間」にチェックしたものとする。
【００４０】
画像形成装置２は、設定用紙８をスキャンして配信設定情報を生成し、コンテンツ管理サーバ１に送信する。
【００４１】
設定受付手段１０２は、画像形成装置２から配信設定情報を受け付け、配信設定情報１１３として記憶部１１に格納する（Ｓ５）。また、格納した配信設定情報１１３のファイル名をコンテンツ管理情報１１２に入力する。図３に示す例では文書ＩＤ「００３」の配信設定情報にファイル名である「ＧＨＩ」を入力する。
【００４２】
（３）課金動作
【００４３】
まず、設定用紙８の「削除」にチェックがない場合について説明する（Ｓ６；Ｙｅｓ）。課金手段１０３は、設定受付手段１０２が配信設定情報１１３を格納した後、画像形成装置２において課金処理を行う（Ｓ７）。
【００４４】
画像形成装置２は、表示部に必要な金額を表示する。
【００４５】
図４（ｄ）に示すように、利用者６は、画像形成装置２に設けられた料金投入口にお金を入れ、またはプリペイドカード読み取り機にカードをかざす等して料金を支払う。
【００４６】
画像形成装置２は、料金が支払われると、その旨をコンテンツ管理サーバ１に送信する。
【００４７】
（４）配信動作
【００４８】
次に、コンテンツ配信手段１０４は、課金手段１０３において課金処理が完了すると、文書情報１１１及び配信設定情報１１３をサイネージコントローラ３に配信する（Ｓ８）。
【００４９】
サイネージコントローラは、配信設定情報に基づいて文書情報を表示装置４に表示処理する。上記した例では、１週間の期間、「０６：００〜０９：００」及び「１５：００〜１８：００」の時間帯に、文書情報１１１が表示される。
【００５０】
また、ステップＳ６において「削除」にチェックがあった場合（Ｓ６；Ｎｏ）、設定受付手段１０２は、ステップＳ１で受け付けた文書情報１１１を記憶部１１から削除する（Ｓ９）。
【００５１】
（５）再登録動作
次に説明する再登録動作は、上記した「（１）文書情報登録動作」、「（２）配信設定情報登録動作」、「（３）課金動作」、「（４）配信動作」を実行した後に、再度設定用紙８がスキャンされた場合についての動作である。
【００５２】
図８は、コンテンツ管理サーバ１の再投稿時の動作例を示すフローチャートである。
【００５３】
（５−１）設定用紙再出力
利用者６は、一度設定した条件を変更するために、以前用いた設定用紙８を画像形成装置２においてスキャン操作する。ここでは、「チェックシート再出力」をチェックした場合について説明する。
【００５４】
画像形成装置２は、設定用紙８をスキャンして配信設定情報を生成し、コンテンツ管理サーバ１に送信する。
【００５５】
コンテンツ管理サーバ１の設定受付手段１０２は、画像形成装置２から配信設定情報を受け付ける（Ｓ１０）。
【００５６】
ここで、「チェックシート再出力」にチェックがあった場合（Ｓ１１；Ｙｅｓ）、設定用紙出力手段１０１は、サイネージコントローラ３に表示スケジュールを問い合わせて確認する（Ｓ１２）。表示スケジュールをコンテンツ管理サーバ１で管理している場合は、コンテンツ管理サーバ１の中で確認を行う。
【００５７】
次に、設定用紙出力手段１０１は、サイネージコントローラ３またはコンテンツ管理サーバ１の応答を反映した、文書情報１１１の配信条件を設定しなおすための設定用紙８を画像形成装置２に出力させる（Ｓ１３）。
【００５８】
新たに出力された設定用紙８を用いて、利用者６は新たな条件を記入し、画像形成装置２にスキャンさせると、コンテンツ管理サーバ１はステップＳ５−Ｓ９で説明した動作を行う。これにより、古い配信設定情報１１３を更新する。
【００５９】
（５−２）再設定
ステップＳ１１において「チェックシート再出力」にチェックがなかった場合（Ｓ１１；Ｎｏ）であって、「削除」にチェックがなかった場合（Ｓ１４；Ｙｅｓ）、課金手段１０３は、画像形成装置２において課金処理を行い（Ｓ１５）、コンテンツ配信手段１０４は、文書ＩＤからコンテンツ管理情報１１２を参照し、前回と同じ条件の配信設定情報１１３で文書情報をサイネージコントローラ３に配信する（Ｓ１６）。
【００６０】
これは最初に設定した期間が終了した後に行うことで、利用者６は同じ設定の手順を再度行わずに済む。なお、同一の画像形成装置２で上記動作を行った場合を前提としているが、異なる画像形成装置２で行った場合に、異なる画像形成装置２が関連付けられている異なるサイネージコントローラ３に前回と同じ条件の配信設定情報１１３で文書情報１１１を配信するようにしてもよい。この場合は最初に設定した期間が終了する前に行われるものであってもよい。また、設定項目に「配信エリア」の項目を設け、複数の場所に設置されたサイネージコントローラ３に配信するようにしてもよい。
【００６１】
（５−３）削除
また、ステップＳ１４において「削除」にチェックがあった場合（Ｓ１４；Ｙｅｓ）、設定受付手段１０２は、コンテンツ管理情報１１２を参照して、文書ＩＤに対応する文書情報１１１を記憶部１１から削除する（Ｓ１７）。また、サイネージコントローラ３からも同様に削除する。次に、配信設定情報１１３の更新と、表示スケジュールの更新を行う。
【００６２】
［第２の実施の形態］
第２の実施の形態は、配信条件の設定を画像形成装置２の操作部を操作することによって行う点で第１の実施の形態と異なる。なお、以下において第１の実施の形態と同様の動作については説明を省略する。また、「（４）配信動作」及び「（５）再登録動作」については第１の実施の形態と同様であるため説明を省略する。
【００６３】
第２の実施の形態の作用を、（１）文書情報登録動作、（２）配信設定情報登録動作、（３）課金動作に分けて説明する。
【００６４】
図９（ａ）−（ｄ）は、第２の実施の形態のコンテンツ管理システムの動作例を説明するための図である。
【００６５】
（１）文書情報登録動作
まず、図９（ａ）に示すように、利用者６は、画像形成装置２において原稿７をスキャン操作する。
【００６６】
画像形成装置２は、原稿７をスキャンして文書情報を生成し、コンテンツ管理サーバ１に送信する。
【００６７】
コンテンツ管理サーバ１の文書受付手段１００は、画像形成装置２から文書情報を受け付けて記憶部１１に文書情報１１１として格納する。
【００６８】
このとき文書受付手段１００は、図３に示すコンテンツ管理情報１１２に新たな文書ＩＤを入力して文書情報と関連付ける。
【００６９】
（２）配信設定情報登録動作
次に、設定受付手段１０２は、サイネージコントローラ３に表示スケジュールを問い合わせて確認する。表示スケジュールをコンテンツ管理サーバ１で管理している場合は、コンテンツ管理サーバ１の中で確認を行う。
【００７０】
次に、設定受付手段１０２は、図９（ｂ）に示すように、サイネージコントローラ３またはコンテンツ管理サーバ１の応答を反映した、文書情報１１１の配信条件を設定するための設定画面を画像形成装置２の表示部に表示させる。設定画面は、一例として、図５に示した例と同様に構成される。
【００７１】
次に、利用者６は設定画面において文書情報１１１の配信時間等を入力する。
【００７２】
画像形成装置２は、設定内容から配信設定情報を生成し、コンテンツ管理サーバ１に送信する。
【００７３】
設定受付手段１０２は、画像形成装置２から配信設定情報を受け付け、配信設定情報１１３として記憶部１１に格納する。また、格納した配信設定情報１１３のファイル名をコンテンツ管理情報１１２に入力する。
【００７４】
次に、図９（ｃ）に示すように、設定用紙出力手段１０１は、配信設定情報１１３を反映した設定用紙８ｃを画像形成装置２から出力させる。この設定用紙８ｃは、設定の再登録に用いられるものであり、以下の図１０に示すように構成される。
【００７５】
図１０は、設定用紙８ｃの構成例を示す概略図である。
【００７６】
設定用紙８ｃは、「表示時間帯」、「表示期間」、「表示曜日」等の設定項目のうち、選択された項目についてチェックボックスをチェックすることで表示し、修正の際に用いることのできる選択肢を空白のチェックボックスとともに表示する。また、「削除」は、スキャンした原稿７に対応する文書情報１１１を削除するためのものである。
【００７７】
なお、設定用紙８ｃの裏面には投稿した原稿７のコピーが印刷され、設定用紙８ｃがいずれの原稿に対応するものかを確認できるようにしてもよい。また、図６に示した設定用紙８ｂのように、投稿した原稿７と設定用の項目を同一面に印刷してもよい。
【００７８】
（３）課金動作
【００７９】
課金手段１０３は、設定用紙８ｃを画像形成装置２から出力させた後、画像形成装置２において課金処理を行う。
【００８０】
画像形成装置２は、表示部に必要な金額を表示する。
【００８１】
図９（ｄ）に示すように、利用者６は、画像形成装置２に設けられた料金投入口にお金を入れ、またはプリペイドカード読み取り機にカードをかざす等して料金を支払う。
【００８２】
画像形成装置２は、料金が支払われると、その旨をコンテンツ管理サーバ１に送信する。
【００８３】
［第３の実施の形態］
第３の実施の形態は、文書情報のアップロードを端末から行う点、配信条件の設定を端末から行う点、設定用紙の印刷を端末に接続されたプリンターから行う点で第１の実施の形態と異なる。
【００８４】
なお、以下において第１の実施の形態と同様の動作については説明を省略する。また、「（４）配信動作」及び「（５）再登録動作」については第１の実施の形態と同様であるため説明を省略する。
【００８５】
第３の実施の形態の作用を、（１）文書情報登録動作、（２）配信設定情報登録動作、（３）課金動作に分けて説明する。
【００８６】
図１１（ａ）−（ｄ）は、第２の実施の形態のコンテンツ管理システムの動作例を説明するための図である。
【００８７】
（１）文書情報登録動作
まず、図１１（ａ）に示すように、利用者６は、端末９ａにおいて文書情報をアップロードするよう操作する。アップロードの操作は、専用のアプリケーションまたはＷｅｂブラウザ等より行う。
【００８８】
端末９ａは、文書情報をコンテンツ管理サーバ１に送信する。
【００８９】
コンテンツ管理サーバ１の文書受付手段１００は、端末９ａから文書情報を受け付けて記憶部１１に文書情報１１１として格納する。
【００９０】
このとき文書受付手段１００は、図３に示すコンテンツ管理情報１１２に新たな文書ＩＤを入力して文書情報と関連付ける。
【００９１】
（２）配信設定情報登録動作
次に、設定受付手段１０２は、サイネージコントローラ３に表示スケジュールを問い合わせて確認する。表示スケジュールをコンテンツ管理サーバ１で管理している場合は、コンテンツ管理サーバ１の中で確認を行う。
【００９２】
次に、設定受付手段１０２は、図１１（ｂ）に示すように、サイネージコントローラ３またはコンテンツ管理サーバ１の応答を反映した、文書情報１１１の配信条件を設定するための設定画面を端末９ａの表示部に表示させる。設定画面は、一例として、図５に示した例と同様に構成される。
【００９３】
次に、利用者６は設定画面において文書情報１１１の配信時間等を入力する。
【００９４】
端末９ａは、設定内容から配信設定情報を生成し、コンテンツ管理サーバ１に送信する。
【００９５】
設定受付手段１０２は、画像形成装置２から配信設定情報を受け付け、配信設定情報１１３として記憶部１１に格納する。また、格納した配信設定情報１１３のファイル名をコンテンツ管理情報１１２に入力する。
【００９６】
次に、設定用紙出力手段１０１は、配信設定情報１１３を反映した設定用紙８ｃを端末９ａに接続されたプリンター９ｂから出力させる。この設定用紙８ｃは、設定の再登録に用いられるものである。なお、設定用紙８ｃは端末９ａに接続されたプリンター９ｂから出力させるとしたが、文書ＩＤを端末へ表示させ、またはメールによって携帯端末等へ通知を行い、画像形成装置２の操作部に入力された文書ＩＤによって、画像形成装置２から設定用紙８ｃを出力するようにしてもよい。
【００９７】
（３）課金動作
【００９８】
次に、図１１（ｃ）に示すように、利用者６は設定用紙８ｃを画像形成装置２においてスキャンする。
【００９９】
画像形成装置２は、設定用紙８ｃをスキャンして内容をコンテンツ管理サーバ１に送信する。
【０１００】
コンテンツ管理サーバ１は、コンテンツ管理情報１１２を参照し、設定用紙８ｃの内容に基づいて利用者６が配信を所望する文書情報１１１及び配信設定情報１１３を特定する。
【０１０１】
次に、課金手段１０３は、画像形成装置２において課金処理を行う。
【０１０２】
画像形成装置２は、表示部に必要な金額を表示する。
【０１０３】
図１１（ｄ）に示すように、利用者６は、画像形成装置２に設けられた料金投入口にお金を入れ、またはプリペイドカード読み取り機にカードをかざす等して料金を支払う。
【０１０４】
画像形成装置２は、料金が支払われると、その旨をコンテンツ管理サーバ１に送信する。
【０１０５】
［他の実施の形態］
なお、本発明は、上記実施の形態に限定されず、本発明の趣旨を逸脱しない範囲で種々な変形が可能である。上記した実施の形態１−３を適宜組み合わせてもよい。
【０１０６】
また、原稿７の内容が公序良俗に反するもので、不適切なものでないかチェックするための手順及び構成を設けてもよい。例えば、画像形成装置２からコンテンツ管理サーバ１に文書情報を送信する前にチェック機能を有する照合用サーバを経由するものとし、当該照合用サーバで文書情報が不適切なものでないかチェックを行う。チェックは一例として以下の手順で行われる。
【０１０７】
まず、照合用サーバは、文書情報のイメージ処理によりテキスト部分と画像部分とに分離する。次に、テキスト部分について単語や単語の前後文字列の並びを予め登録されたデータベースと照合してチェックを行う。また、画像部分について類似画像検索や肌量分析等の処理を行いチェックを行う。
【０１０８】
照合用サーバによって不適切と判断された場合は、コンテンツ管理サーバ１は設定用紙８に代えて、投稿できない不適切な原稿である旨を記載した印刷物を画像形成装置２に印刷させる。これにより利用者６は、原稿７が不適切なものであることを認識できる。
【０１０９】
上記実施の形態では制御部１０の各手段１００〜１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【０１１０】
１     コンテンツ管理サーバ
２     画像形成装置
３     サイネージコントローラ
４     表示装置
５     ネットワーク
６     利用者
７     原稿
８、８ａ−８ｃ       設定用紙
９ａ   端末
９ｂ   プリンター
１０   制御部
１１   記憶部
１２   通信部
１００ 文書受付手段
１０１ 設定用紙出力手段
１０２ 設定受付手段
１０３ 課金手段
１０４ コンテンツ配信手段
１１０ コンテンツ管理プログラム
１１１ 文書情報
１１２ コンテンツ管理情報
１１３ 配信設定情報
【図１】
0006476895.tif 000002
【図２】
0006476895.tif 000003
【図３】
0006476895.tif 000004
【図４】
0006476895.tif 000005
【図５】
0006476895.tif 000006
【図６】
0006476895.tif 000007
【図７】
0006476895.tif 000008
【図８】
0006476895.tif 000009
【図９】
0006476895.tif 000010
【図１０】
0006476895.tif 000011
【図１１】
0006476895.tif 000012